(57)【要約】【課題】ねじ穴（１１）に第一の止めねじ（３０）を螺合させた後、同じねじ穴（１１）に第二の止めねじ（４０）を螺合した場合、第二の止めねじ（４０）を完全に取り外さなくても第一の止めねじ（３０）を微調整できるようにする。【解決手段】頭部に六角穴（４１）を備えるとともに、六角穴（４１）に連通して先端部へ貫通する貫通穴（４２）を備えた貫通穴付き止めねじであって、六角穴（４１）及び貫通穴（４２）の何れもが、第一の止めねじ（３０）を回転させる六角ドライバー（５２）の回転を許容するに十分な寸法を備るものを、第二の止めねじ（４０）として用いる。かくして、六角ドライバー（５２）を頭部から六角穴（４１）及び貫通穴（４２）に挿通させた状態で第一の止めねじ（３０）を回転させることができるようにする。【選択図】図１
2013257019.tif 000002
【特許請求の範囲】
【請求項１】
頭部に六角穴（３１）を備えた第一の止めねじ（３０）をねじ穴（１１）に螺合させた後、同じねじ穴（１１）に螺合される第二の止めねじ（４０）として使用される止めねじであって、頭部に六角穴（４１）を備えるとともに、前記六角穴（４１）に連通して先端部へ貫通する貫通穴（４２）を備え、前記六角穴（４１）及び前記貫通穴（４２）は何れも、第一の止めねじ（３０）を回転させる六角ドライバー（５２）の回転を許容するに十分な寸法を備えることにより、前記六角ドライバー（５２）を頭部から六角穴（４１）及び貫通穴（４２）に挿通させた状態で第一の止めねじ（３０）を回転させることができるようにしたことを特徴とする貫通穴付き止めねじ。
【請求項２】
前記貫通穴（４２）は、半径がa（但し、aは第一の止めねじ（３０）の六角穴（３１）の一辺の長さ）よりも大きい円形横断面を有する筒状穴である、請求項１に記載の貫通穴付き止めねじ。
【請求項３】
前記六角穴（４１）は、一辺の長さが（２／√３）ａ（但し、aは第一の止めねじ（３０）の六角穴（３１）の一辺の長さ）以上の寸法を備える、請求項１に記載の貫通穴付き止めねじ。
【請求項４】
前記貫通穴（４２）は、自身の六角穴（４１）と同一の横断面形状を備えるものである、請求項３に記載の貫通穴付き止めねじ。
【請求項５】
頭部に六角穴（３１）を備えた第一の止めねじ（３０）と、頭部に六角穴（４１）を備えるとともに、前記六角穴（４１）に連通して先端部へ貫通する貫通穴（４２）を備えた第二の止めねじ（４０）とを備え、前記六角穴（４１）及び前記貫通穴（４２）は何れも、第一の止めねじ（３０）を回転させる六角ドライバー（５２）の回転を許容するに十分な寸法を備えることにより、ねじ穴（１１）に第一の止めねじ（３０）を螺合させた後、同じねじ穴（１１）に第二の止めねじ（４０）を螺合させた際に、前記六角ドライバー（５２）を第二の止めねじ（４０）の頭部から六角穴（４１）及び貫通穴（４２）に挿通させた状態で第一の止めねじ（３０）を回転させることができるようにしたことを特徴とするねじセット。
【請求項６】
第二の止めねじ（４０）の貫通穴（４２）は、半径がa（但し、aは第一の止めねじ（３０）の六角穴（３１）の一辺の長さ）よりも大きい円形横断面を有する筒状穴である、請求項５に記載のねじセット。
【請求項７】
第二の止めねじ（４０）の六角穴（４１）は、一辺の長さが（２／√３）ａ（但し、aは第一の止めねじ（３０）の六角穴（３１）の一辺の長さ）以上の寸法を備える、請求項５に記載のねじセット。
【請求項８】
第二の止めねじ（４０）の貫通穴（４２）は、自身の六角穴（４１）と同一の横断面形状を備えるものである、請求項７に記載のねじセット。
【発明の詳細な説明】
【技術分野】
【０００１】
本発明は、ねじ穴に第一の止めねじを螺合させた後、第一の止めねじの振動等による緩みを防止する等の目的で同じねじ穴に螺合される第二の止めねじであって、第一の止めねじを回転させる六角ドライバーを挿通させる貫通穴を備えたものに関する。
【背景技術】
【０００２】
止めねじは、セットねじ、セットスクリューなどとも呼ばれ、ボルトの頭を欠いた雄ねじからなり、ねじ全体がねじ穴の中に入り込む形状を備える。止めねじは、例えば、モータのシャフトにギヤやプーリーを取り付ける際、ギヤやプーリーのボスの側面から軸線方向に向けられたねじ穴内にシャフトへ当接するまで螺合され、かくしてボスをシャフトに固定するように機能する。止めねじは通常頭部に六角穴を備え、横断面が六角形の棒状体からなる六角ドライバーを該六角穴に嵌合させた状態で回転させることによりねじ穴に螺合される。なお、本発明とは無関係であるが、六角穴付き止めねじの規格はJIS B 1177として設けられている。
【０００３】
従来、図４に示すように、ギヤ等の固定物１０のねじ穴１１に第一の止めねじ３０を螺合させて、モータのシャフト等の被固定物２０に固定した後、第一の止めねじ３０の振動等による緩みを防止するために、同じねじ穴１１にさらに第一の止めねじ３０と同じ止めねじを第二の止めねじ４０として螺合させることが行われている（特許文献１参照）。ここにおいて、第一の止めねじ３０及び第二の止めねじ４０は、それぞれ頭部に六角穴３１及び４１を備え、これらの六角穴３１及び４１は盲穴として形成されている。しかし、このようにして止めねじを二重に装着すると、固定物１０の被固定物２０に対する位置を調整する必要が生じた時に、一旦、六角ドライバー５１を用いて第二の止めねじ４０をねじ穴１１から取り外した後に、同じ六角ドライバー５１を用いて第一の止めねじ３０を緩める必要があり、特に、ねじ穴１１の距離が長い場合は手間と時間がかかり、第一の止めねじ３０の微調整が必要な場合には作業効率が大きく低下させるという問題があった。また、特許文献１の方法では、特殊な形状の六角ドライバーを使用する必要があるという問題があった。
【先行技術文献】
【特許文献】
【０００４】
【特許文献１】特開２００３−１９４０３０号公報
【発明の概要】
【発明が解決しようとする課題】
【０００５】
本発明は、特殊な形状の六角ドライバーを必要とせず、第二の止めねじを完全に取り外さなくても第一の止めねじを微調整できるようにした止めねじを提供することを目的とする。
【課題を解決するための手段】
【０００６】
本発明者等は、上記の課題を解決するために鋭意検討した結果、第二の止めねじとして特定の寸法の六角穴と貫通穴を有する止めねじを使用することにより、上記課題が解決できることを見出し、本発明を完成するに至った。
【０００７】
すなわち、本発明は、その一局面によれば、頭部に六角穴を備えた第一の止めねじをねじ穴に螺合させた後、同じねじ穴に螺合される第二の止めねじとして使用される止めねじであって、頭部に六角穴を備えるとともに、前記六角穴に連通して先端部へ貫通する貫通穴を備え、前記六角穴及び前記貫通穴は何れも、第一の止めねじを回転させる六角ドライバーの回転を許容するに十分な寸法を備えることにより、前記六角ドライバーを頭部から六角穴及び貫通穴に挿通させた状態で第一の止めねじを回転させることができるようにしたことを特徴とする貫通穴付き止めねじを提供する。
【０００８】
また、本発明は、他の一局面によれば、頭部に六角穴を備えた第一の止めねじと、頭部に六角穴を備えるとともに、前記六角穴に連通して先端部へ貫通する貫通穴を備えた第二の止めねじとを備え、前記六角穴及び前記貫通穴は何れも、第一の止めねじを回転させる六角ドライバーの回転を許容するに十分な寸法を備えることにより、ねじ穴に第一の止めねじを螺合させた後、同じねじ穴に第二の止めねじを螺合させた際に、前記六角ドライバーを第二の止めねじの頭部から六角穴及び貫通穴に挿通させた状態で第一の止めねじを回転させることができるようにしたことを特徴とするねじセットを提供する。
【発明の効果】
【０００９】
本発明によれば、第二の止めねじとして、頭部に設けられた六角穴とこれに連通して先端部へ貫通する貫通穴を備え、この六角穴及び貫通穴の何れの寸法も、第一の止めねじを回転させる六角ドライバーの回転を許容するに十分な寸法とすることにしたので、同じねじ穴に、第一の止めねじに重ねて第二の止めねじを螺合させた場合でも、前記六角ドライバーを第二の止めねじの頭部から六角穴及び貫通穴に挿通させた状態で、第一の止めねじを第二の止めねじとは独立に回転させて、第一の止めねじの調整を行うことができる。
【図面の簡単な説明】
【００１０】
【図１】本発明の貫通穴付き止めねじの一実施形態を使用状態で示す縦断面図である。
【図２】本発明の貫通穴付き止めねじの他の実施形態を使用状態で示す縦断面図である。
【図３】第一の止めねじの六角穴の一辺の長さaとした場合の、本発明の貫通穴付き止めねじの貫通穴及び六角穴の最小寸法を示す横断面図。
【図４】従来の止めねじを使用状態で示す縦断面図である。
【発明を実施するための形態】
【００１１】
以下、図面を参照しつつ、本発明の貫通穴付き止めねじの実施形態について説明するが、本発明は当該実施形態のみに限定されるものではない。
【００１２】
図１は、本発明の貫通穴付き止めねじの一実施形態を使用状態で示す縦断面図であり、図１において、図４に示される要素と同一の要素には同一の符号が付されている。図１と図４との間で異なる点は、第一の止めねじ３０の六角穴３１が第二の止めねじ４０の六角穴４１よりも小さい寸法を備えている点、及び、第二の止めねじ４０が六角穴４１に連通して先端部へ貫通する貫通穴４２を備えている点である。
【００１３】
本発明では、第二の止めねじ４０の六角穴４１及び貫通穴４２が何れも、第一の止めねじ３０を回転させる六角ドライバー５２の回転を許容するに十分な寸法を備えている必要がある。すなわち、六角穴４１及び貫通穴４２は、上記六角ドライバー５２を挿通させた状態で、上記六角ドライバー５２と係合したり、それによって第二の止めねじ４０を回転させたりすることのなく、第一の止めねじ３０を第二の止めねじ４０から独立して回転させるような寸法を備える必要がある。
【００１４】
このような寸法は、例えば、貫通穴４２が筒状穴である場合、図３に示されるように、第一の止めねじ３０の六角穴３１の一辺の長さがaとすると、半径がaよりも大きい円形横断面を有する筒状穴であれば満たされる。また、同様の寸法は、例えば、貫通穴４２が六角穴である場合、一辺の長さがaの六角ドライバーの回転を許容する六角穴であればよいので、図３に示されるように、一辺の長さが（２／√３）ａ以上の六角穴であれば満たされる。同様に、本発明における六角穴４１の寸法は、第一の止めねじ３０の六角穴３１の一辺の長さがaとすると、一辺の長さが（２／√３）ａ以上の六角穴であれば満たされる。なお、本発明において、六角穴４１及び貫通穴４２が同軸の関係を備えること、すなわち、両者の長手方向軸線が同一であることは言うまでもない。
【００１５】
本発明の貫通穴付き止めねじにおいては、六角穴４１だけでなく、貫通穴４２も六角穴であってもよいので、六角穴４１及び貫通穴４２の何れもが同一の横断面形状を備えてもよく、すなわち、図２に示すように、六角穴４１及び貫通穴４２が止めねじの頭部から先端部に貫通するストレートな一体の穴として設けられていても良い。この場合も、本発明においては、六角穴４１及び貫通穴４２の一辺の長さが（２／√３）ａ以上（但し、ａは第一の止めねじ３０の六角穴３１の一辺の長さを意味する）であればよい。
【００１６】
かくして、図１及び図２に示されるように、一辺の長さがａの六角穴が盲穴として頭部に形成された止めねじを第一の止めねじ３０としてねじ穴１１に六角ドライバー５２を用いて螺合させて被固定物に当接させた後、第一の止めねじ３０の振動等による緩みを防止するために、上記第二の止めねじ４０を所定の六角ドライバー（図示せず）を用いて同じねじ穴１１に螺合することができる。通常は、上記第二の止めねじ４１は、その先端部が第一の止めねじ３０の頭部に当接するまでねじ穴１１に螺合させられる。このような状態で、例えば、固定物１０と被固定物２０の相対的位置を調整するために第一の止めねじ３０を緩める必要が生じた場合、本発明では、上記第二の止めねじ４０を図１及び図２に図示の状態の位置に少し後退させた後、六角ドライバー５２を第二の止めねじ４０の六角穴４１及び貫通穴４２に挿通させ、その先端部を第一の止めねじ３０の六角穴３１に嵌合させて回転させることにより、第一の止めねじ３０を若干後退させて、被固定物２０の固定物１０への締め付けを緩めることができる。このように、本発明の貫通穴付き止めねじを第二の止めねじ４０として用いることにより、ねじ穴に二重に止めねじを装着した場合でも、第二の止めねじを装着したままで第一の止めねじ３０の調整を容易に行うことができる。
【００１７】
なお、本発明の実施を容易にするために、上記のような寸法関係を満たす第一の止めねじ３０と第二の止めねじ４０をねじセットとして提供してもよい。
【００１８】
本発明の貫通穴付き止めねじは、何れも金属、プラスチック等の適当な材料で作成することができるが、通常、金属で作成することが好ましい。本発明の貫通穴付き止めねじは図示及び上記の実施形態に限定されるものではなく、当業者であればその各構成を均等物に置き換えることで上記以外の種々の変形を行うことが可能であることは言うまでもない。
【産業上の利用可能性】
【００１９】
本発明の貫通穴付き止めねじは、ねじ穴に第一の止めねじを螺合させた後、第一の止めねじの振動等による緩みを防止する等の目的で同じねじ穴に螺合される第二の止めねじとして使用でき、機械要素として有用である。
【符号の説明】
【００２０】
１０  固定物
１１  ねじ穴
２０  被固定物
３０  第一の止めねじ
３１  六角穴
４０  第二の止めねじ
４１  六角穴
４２  貫通穴
５１，５２  六角ドライバー
【図１】
2013257019.tif 000003
【図２】
2013257019.tif 000004
【図３】
2013257019.tif 000005
【図４】
2013257019.tif 000006